(57)【要約】【課題】  本発明は、通常は使用者の呼吸によって作動できる、使用者による多数回の作動中に薬剤を制御下で滑らかに移送する乾燥粉末吸入装置に関する。【解決手段】  制御下で滑らかに移送するための装置の機構は、薬剤をカップ又は容器（１５）に受け入れるため、通常はリザーバと隣接して保持されるデバイス（４）を含む。このデバイスは、全体に装置の長さ方向軸線に対して横方向に装置の送出チャンネルまで移動できる。このデバイス（４）全体の移動は、ヨークがその衝合体（１６）に作用することによって行われる。装置での薬剤の漏れが阻止される。【選択図】  図１２
2007521844.tif 000002
【特許請求の範囲】
【請求項１】
乾燥粉体吸入装置であって、
薬剤用リザーバ、所定投与量の薬剤を吸入するために使用者の口に挿入するためのマウスピース、前記所定投与量の薬剤を送出するための前記リザーバの放出出口と前記マウスピースとの間の送出チャンネル、前記所定投与量の薬剤を前記放出出口から受け取ってこれを前記送出チャンネルに移送するため、通常はリザーバと隣接して保持されたデバイス、及び、このデバイスを解放し、これを前記送出用の送出チャンネルまで制御下で移動できる機構を含む、
ことを特徴とする乾燥粉体吸入装置。
【請求項２】
請求項１に記載の装置において、
前記投与量を受け入れるためのカップ及びこのカップを取り付ける長さ方向に摺動可能な本体を更に含み、前記機構は、前記デバイスを前記送出チャンネルまで移動するために解放するように移動できる衝合手段を含む、
ことを特徴とする装置。
【請求項３】
請求項２に記載の装置において、
前記衝合体手段は、作動手段によって全体が移動できる、
ことを特徴とする装置。
【請求項４】
請求項３に記載の装置において、
前記マウスピースに向かって及びマウスピースから遠ざかるように全体をシフトできるヨーク部材及び取り付けリムを含み、これらのリムの一つがカムに従動するカム従動体を有し、前記カムは、ランプの形態の作動手段を支持するヨーク部材を作動するために回転でき、送出用チャンネルに向かう制御下での移動のために少なくとも前記デバイスの一部分が前記ランプ上を移動できる、
ことを特徴とする装置。
【請求項５】
請求項４に記載の装置において、
前記作動手段は、前記デバイスを前記放出出口に戻すためのエレメントを含む、
ことを特徴とする装置。
【請求項６】
請求項５に記載の装置において、
前記エレメントは傾斜した押縁を有し、前記部分は前記押縁の下方を前記装入位置まで移動する、
ことを特徴とする装置。
【請求項７】
請求項６に記載の装置において、
前記ヨーク部材は（使用時における）下方のカムを含み、この下方のカムは弾性であり所定の表面輪郭を有する、
ことを特徴とする装置。
【請求項８】
請求項７に記載の装置において、
前記表面輪郭の形体は凸状である、
ことを特徴とする装置。
【請求項９】
請求項８に記載の装置において、
前記ヨークの使用時における下方の端部はマウスピースと隣接している、
ことを特徴とする装置。
【請求項１０】
請求項１乃至９のうちのいずれか一項に記載の装置において、
前記衝合手段は、前記デバイスの経路の外に向かって撓むことができる弾性部材を含む、装置。
【請求項１１】
請求項１０に記載の装置において、
前記弾性部材は、実質的にＪ形状形体又はＵ形状形体からなる一部品部材でできており、この一つのリムはデバイスを解放するために移動自在である、装置。
【請求項１２】
請求項１１に記載の装置において、
前記移動自在のリムは、装置のハウジングから突出した指で作動できるタブを有する、装置。
【請求項１３】
請求項１２に記載の装置において、
前記タブは前記デバイスを解放するために前記リムを撓ませる方向を示すしるしを有する、装置。
【請求項１４】
請求項３に記載の装置において、
前記作動手段は、デバイスを解放するために装置の本体のボアを通して突出したタブを有する、弾性的に取り付けることができる摺動自在の部材を含む、装置。
【請求項１５】
請求項１４に記載の装置において、
前記摺動自在の部材は、前記デバイスの位置を示すため、前記ボアを通して読み取ることができるしるしを有する、装置。
【請求項１６】
請求項１５に記載の装置において、
前記しるしは色彩コードからなるしるしを含む、装置。
【請求項１７】
請求項３に記載の装置において、
前記作動手段は、弾性的に且つ枢動自在に取り付けられた戻り止め手段を含み、これは、前記デバイスを解放するため、その全体がその枢軸を中心としてシフトできる、装置。
【請求項１８】
請求項１７に記載の装置において、
前記戻り止め手段は、指で掴むことができる突出部を有し、この突出部は、前記突出部を装置の本体のスロットに沿って移動するときに戻り止め全体をシフトするため、前記戻り止め手段から装置の本体のスロットを通して突出している、装置。
【請求項１９】
請求項３に記載の装置において、
前記作動手段は弾性的に取り付けられたプランジャー手段を含み、前記プランジャー手段は、一方の端部が前記デバイスの本体のボアを通って突出しており、且つ反対側の端部が、前記デバイス全体を前記送出チャンネルまでシフトするため、前記デバイスと係合するようになっている、装置。
【請求項２０】
請求項１９に記載の装置において、
前記プランジャー手段は、前記一方の端部と前記反対側の端部とを連結する実質的に円筒形の本体部材を有し、前記反対側の端部は前記本体部材に対して拡大されている、装置。
【請求項２１】
請求項２０に記載の装置において、
前記デバイスと接触するため、比較的柔らかなクッション部材が前記反対側の端部に設けられている、装置。
【請求項２２】
請求項３に記載の装置において、
前記作動手段は、電気式手段、電子式手段、又は電気機械式手段を含む、装置。
【請求項２３】
請求項２２に記載の装置において、
前記作動手段は、前記デバイスを作動するためのスイッチ装置によって作動されるソレノイド手段を含む、装置。
【請求項２４】
請求項２３に記載の装置において、
前記スイッチ装置は、使用者が手作業で操作できる、装置。
【請求項２５】
請求項２３に記載の装置において、
前記スイッチ装置は、使用者が呼吸の吸入によって操作できる、装置。
【請求項２６】
請求項２２乃至２５のうちのいずれか一項に記載の装置において、
電気式手段、電子式手段、又は電気機械式手段のための電源を更に有する、装置。
【請求項２７】
請求項１乃至２６のうちのいずれか一項に記載の装置において、
マウスピースの前記放出チャンネルの端部用のカバーを更に含み、前記カバーは、前記放出チャンネルを覆う位置と前記投与量を放出するための位置との間で移動自在であり、これによって前記機構を作動できる、装置。
【請求項２８】
請求項２７に記載の装置において、
前記カバーは、対向するアームによって支持された比較的剛性のディスクを含み、前記アームはディスクマウントとは反対側にある端部にカムを有し、このカムは、カム従動体を前記デバイスから遠ざかる方向に移動することによって前記作動手段を作動して前記衝合手段全体を移動させることができる輪郭を有する、装置。
【請求項２９】
請求項２８に記載の装置において、
前記ディスクは、その最初に言及した位置では装置の保護体内に収容されており、前記保護体は前記ディスクを横切るように枢動可能に取り付けられている、装置。
【請求項３０】
請求項３に記載の装置において、
呼吸により作動できる装置を更に含む、装置。
【請求項３１】
請求項３０に記載の装置において、
前記機構は、前記リザーバの間隔が隔てられた両壁間にあり、また、使用者が前記マウスピースのところで息を吸い込むときに引っ込めることができる部材を有する、装置。
【請求項３２】
請求項３１に記載の装置において、
前記機構は、協働する回転自在の手段を含み、該回転自在の手段のうちの一方の手段は前記デバイスと係合するための戻り止めを有し、他方の手段は、前記戻り止めを前記デバイスと係合した状態に維持し、前記一方の手段が回転して前記戻り止め及びデバイスを解放できるように作動することができるできる、装置。
【請求項３３】
請求項３２に記載の装置において、
前記機構はストップ部材を更に含み、前記ストップ部材は、使用者が前記マウスピースのところで息を吸い込むときに引っ込めることができ、且つ前記他方の回転自在の手段及び前記戻り止めを解放するようになっている、装置。
【請求項３４】
請求項３３に記載の装置において、
前記回転自在の手段は、カム又はギヤ手段を含む、装置。
【請求項３５】
請求項３３又は３４に記載の装置において、
前記ストップ部材は細長い取り付けられた部材及びフラップバルブを含み、前記部材は前記他方の回転自在の手段を係合させるように押圧されており、前記フラップバルブは空気を前記両壁間の空間に入れて空間の内側と外側との間の圧力を等しくし、前記細長い部材を押圧して前記カム又はギヤ手段を作動する、装置。
【請求項３６】
請求項１乃至３５のうちのいずれか一項に記載の装置において、
前記デバイスは、圧力弾性手段の下に取り付けられる、装置。
【請求項３７】
請求項３６に記載の装置において、
前記圧力弾性手段はばね手段を含む、装置。
【請求項３８】
請求項１乃至３７のうちのいずれか一項に記載の装置において、
前記装置の移動を制動するダンパー手段を含む、装置。
【発明の詳細な説明】
【技術分野】
【０００１】
本発明は乾燥粉体吸入装置に関する。この装置は、所望の所定の投与量の乾燥粉体薬剤を装置の使用者に投与する。装置の使用者は、装置を手作業で作動した後に所定の投与量を吸い込むか或いは、息を吸い込んだときに所定の投与量の薬剤を吸い込むためのデバイスを自動的に作動させる。呼吸による作動は、代表的には、所望の投与量の薬剤を患者の肺に投薬するのに使用される。薬剤は吸入中に空気とともに運ばれ、その結果、微粒子が肺に運び込まれ、重い粒子が頬腔に保持される。
【背景技術】
【０００２】
代表的には、このような装置は、乾燥粉体の形態の薬剤を収容するためのリザーバを含む。このリザーバは、特定の投与回数分の薬剤を収容する。これらの投与量はリザーバから計量供給され、使用者が作動させたときに一回分の投与量が提供される。装置は、更に、使用者が息を吸い込んだときに薬剤を取り上げ即ち同伴し、装置のマウスピースの空気経路に沿って通して使用者の肺内に入れるための、一つ又は複数の空気入口を含む。
【０００３】
特定の投与量中の薬剤の量は少量であり、薬剤の計量された投与量を受け入れるための容器又はカップを有するデバイスのリザーバから受け取られる。次いで、デバイスは、計量された投与量を空気チャンネルに移送するために、全体がシフトされる。デバイスの本体は、この移送動作の間、リザーバからの放出出口をシールする。
【発明の開示】
【発明が解決しようとする課題】
【０００４】
周知の装置では、スライドキャリヤをヨークの下縁の端部から解放することによって、計量された投与量を支持するスライドキャリヤアッセンブリを機構が移送する。ヨークの下方の部分は、マウスピースカバーを開放することによってトリガーが回転されたときに移動する。トリガーは二つのドロップゾーンを有する。第１のドロップゾーンは、ヨークの下部分をいきなり移動させて計量用ベローズを圧縮するのに使用される。第２のドロップゾーンもまたいきなりであり、このゾーンの間に、ヨークの下部分がスライドキャリヤを解放する。移送ばねが、スライドキャリヤを、ホッパの上構成要素と下構成要素との間のチャンネルを横切って押圧する。スライドキャリヤがホッパの上構成要素の側壁に当たったとき、スライドキャリヤがいきなり停止する。
【０００５】
しかしながら、比較的少量の粉体が投与される場合でも、各投与量を構成する粉体が圧縮され、これにより規定の投与量以上の粉体がカップ内に受け入れられてしまう。
更に、圧縮が起こらない場合でも、移送時に薬剤がカップからこぼれてしまう場合がある。従って、こぼれた薬剤を受けるための収集壁が設けられているけれども、使用者が息を吸い込んだときに必要な所望の投与量を投与できない。
圧縮及びこぼれという両欠点は、デバイスがリザーバの放出出口から薬剤を空気チャンネル内に通すための位置まで移送する方法のために生じる。
従って、本発明は、これらの問題点を軽減するものである。
【課題を解決するための手段】
【０００６】
本発明によれば、乾燥粉体吸入装置において、薬剤用リザーバ、所定投与量の薬剤を吸入するために使用者の口に挿入するためのマウスピース、所定投与量の薬剤を送出するためのリザーバの放出出口とマウスピースとの間の送出チャンネル、所定投与量の薬剤を放出出口から受け取ってこれを送出チャンネルに移送するため、通常はリザーバと隣接して保持されたデバイス、及びこのデバイスを解放し、これを送出用の送出チャンネルまで制御下で移動できる機構を含む、乾燥粉体吸入装置が提供される。
【０００７】
本発明の使用時に、必要な投与量の薬剤を２段階動作で制御下で滑らかに移送できるということは理解されよう。デバイスの移動は、薬剤の装入後、放出チャンネルを形成する空気チャンネル内に薬剤を通すための位置まで制御下で移動するため、中断される。
【０００８】
デバイスは、投与量を受け入れるためのカップ及びこのカップを取り付ける長さ方向に摺動可能な本体を更に含み、機構は、デバイスを送出チャンネルまで移動するために解放するように移動できる衝合手段を含む。
衝合手段は、好ましくは、作動手段によって全体が移動できる。これにより作動及び賦勢が積極的に行われる。
衝合手段は、更に、デバイスの経路の外に出るように撓むことができる弾性部材を含む。これにより、特に、弾性部材が実質的にＪ形状形体又はＵ形状形体の一つの部材でできており且つその一つのリムをデバイスを解放するために移動できる場合に、作動及び賦勢が積極的に行われる。
【０００９】
移動自在のリムは、装置のハウジングから突出した指で作動できるタブを有し、このタブはデバイスを解放するためにリムを撓ませる方向を示すしるしを有する。
作動手段は、デバイスを解放するために装置の本体のボアを通して突出したタブを有する弾性的に取り付けることができる摺動自在の部材を含んでいてもよい。これによっても作動及び賦勢が積極的に行われ、摺動自在の部材は、好ましくは、デバイスの位置を示すため、ボアを通して読み取ることができるしるしを有する。このしるしは、色彩コードからなるしるしを含む。
【００１０】
作動手段は、更に、弾性的に且つ枢動自在に取り付けられた戻り止め手段を含んでいてもよく、これは、デバイスを解放するため、その全体がその枢軸を中心としてシフトできる。
適当には、戻り止め手段は、指で掴むことができる突出部を備えていてもよい。この突出部は、突出部を装置の本体のスロットに沿って移動させるときに戻り止め全体をシフトするため、戻り止め手段から装置の本体のスロットを通して突出している。
【００１１】
作動手段は、更に、一端がデバイスの本体のボアを通って突出しており且つ反対側の端部が、デバイス全体を送出チャンネルまでシフトするためにデバイスと係合するようになっている弾性的に取り付けられたプランジャー手段を含んでいてもよい。
プランジャー手段は、適当には、一端と反対側の端部とを連結する実質的に円筒形の本体部材を有していてもよく、上記反対側の端部は本体部材に対して拡大してあってもよい。
【００１２】
デバイスと接触するため、比較的柔らかなクッション部材が反対側の端部に設けられていてもよい。これにより、装置の、クッション部材によって緩衝された、制御下での動きがもたらされる。
作動手段は、電気式手段、電子式手段、又は電気機械式手段を含んでいてもよい。
作動手段は、デバイスを作動するためのスイッチ装置によって作動されるソレノイド手段を含んでいてもよい。適当には、スイッチ装置は、使用者が手作業で操作でき、又は別の態様では、スイッチ装置は、使用者が息を吸うことによって操作されてもよい。いずれの態様でも、装置を積極的に作動できる。
電気式手段、電子式手段、又は電気機械式手段用の電源が設けられていてもよい。
【００１３】
マウスピースの放出チャンネルの端部用のカバーが設けられていてもよく、カバーは、放出チャンネルを覆う位置と投与量を放出するための位置との間で移動自在であり、これによって機構を作動できる。
カバーは、適当には、対向するアームによって支持された比較的剛性のディスクを含んでいてもよく、アームはディスクマウントとは反対側のその端部にカムを有し、このカムは、カム従動体をデバイスから遠ざかる方向に移動できるようにすることによって作動手段全体を作動させて衝合手段全体を移動させることができる輪郭を有する。
【００１４】
ディスクは、その最初に言及した位置では、装置の保護体内に収容されていてもよく、保護体はディスクを横切るように枢動可能に取付けられている。
マウスピースに向かって及びマウスピースから遠ざかるように全体をシフトできるヨーク部材、及び取り付けリムを含み、これらのリムの一つが、カムに従動するカム従動体を有し、カムは、ランプの形態の作動手段を支持するヨーク部材を作動するために回転でき、少なくともデバイスの一部が、送出チャンネルに向かう制御下での移動のためにランプ上を移動できる。これにより、特に前記作動手段がデバイスを放出位置に戻すための戻しエレメントを含む場合に作動及び賦勢が積極的に行われる。
このような戻しエレメントは、適当には、傾斜した押縁を備えていてもよく、部分が押縁を下方に放出出口まで移動する。
【００１５】
装置は、呼吸作動式装置であってもよい。
機構は、リザーバの間隔が隔てられた対向する壁の間にあってもよく、使用者がマウスピースのところで息を吸い込むときに引っ込めることができる部材を備えていてもよい。
機構は、協働する回転自在の手段を含んでいてもよく、この手段の一方はデバイスと係合するための戻り止めを有し、他方の手段は、戻り止めをデバイスと係合した状態に維持し且つ上記一方の手段が回転して戻り止め及びデバイスを解放できるように作動できる。
機構は、使用者がマウスピースのところで息を吸い込むときに引っ込めることができ、他方の回転自在の手段及び戻り止めを解放するようになっているストップ部材を更に含んでいてもよい。
【００１６】
上記回転自在の手段は、カム又はギヤ手段を含んでいてもよい。
ストップ部材は、適当には、細長い取り付けられた部材及びフラップバルブを含んでいてもよく、この部材は上記他方の回転自在の手段と係合するように押圧されており、フラップバルブは空気を両壁間の空間に入れて空間の内側と外側との間の圧力を等しくし、細長い部材を押圧してカム又はギヤ手段を作動させる。
デバイスは、圧力弾性手段の下に取り付けられていてもよい。
装置の移動を制動するためのダンパー手段を含んでいてもよい。
【発明を実施するための最良の形態】
【００１７】
本発明による装置の実施例を添付図面を参照して以下に例として説明する。
可能である限り同様の部品に同じ参照番号を付した添付図面（例えば図１、図２、図３、図９）を参照すると、これらの図には乾燥粉体吸入装置１が示してある。この乾燥粉体吸入装置は、薬剤用のリザーバ２、所定の投与量の薬剤を吸入するために使用者の口に挿入するためのマウスピース３’、リザーバ２の放出出口４’とマウスピースとの間に設けられた前記所定の投与量の薬剤を送出するための送出チャンネル３、所定の投与量の薬剤を前記放出出口から受け入れてこれを送出チャンネルに移送するため、通常はリザーバと隣接して保持されるデバイス４、及び、デバイス４を解放し、このデバイスを前記送出用の送出チャンネルまで制御下で移動できるようになった機構５を含む。
【００１８】
図１は、前方から見た吸入装置の全体輪郭を示し、枢動自在のカバー６がデバイスの本体７の底部に設けられている。
図２に示すように、装置１のハウジング即ち本体７は、キャップ８、内部ばね９、ヨーク１０、ベローズ１１、別のヨーク１２を含む作動機構、マウスピースカバー６を取り付ける本体７のベース１４内の見ることができるカウンタ１３を含む。
【００１９】
機構５（例えば図３及び図１２参照）は、計量された投与量の粉体にされた薬剤をカップ即ちソケット１５に受け入れるための、装置１の長さ方向軸線に対して横方向に全体的に移動できるデバイス４を含む。薬剤は、次いで、デバイス４をシフトすることによって放出チャンネル即ち空気経路３まで移送され、患者が息を吸い込んでマウスピース３’に吸引力を加えたとき、粉体状の計量された投与量がカップ即ち容器１５から取り出され、その結果、計量された投与量が空気中に同伴され、マウスピース３’を通って使用者の肺及び口に入る。薬剤は、ヨーク１０が所定位置からマウスピース３’に向かって移動するとき、ベローズ１１によって、リザーバ２の放出出口４’（図１２参照）からカップ即ち容器１５に装入される。デバイス全体を放出出口４’から長さ方向に空気送出チャンネル３までシフトするため、デバイス４の肩部、ボス、又は衝合体１６の形態の部品が設けられている。
【００２０】
作動を滑らかにするため、デバイス４の前端には衝合体５が位置決めされている。この衝合体は、全体を物理的に移動させてデバイスから外さなければならない。また、衝合体は、図３に示すようにＬ形状であり、端部１７に指で圧力を加えることによって移動するとシフトし、その起立した一体の部分１８がデバイス４の隣接した端部から外れ、デバイス４をばね（図示せず）の圧力の作用で放出位置まで滑らかに移動させることができる。
【００２１】
図４は別の実施例を示す。この実施例では、衝合体は、図示の実施例ではＪ形状のプラスチック製のばね状部材の形態からなる弾性部材１９を含む。この弾性部材の下方リム即ち短リム２０が装置１の本体７に固定されている。また、上方リム２１は、タブ２２をその外面に設けられた矢印形態のしるし‘Ａ’によって示されているように下方に移動させたときに撓み、装置４の経路の外に出ることができる。
長い方のリム２１の下側が下方リム２０の上面に当たり、及び従って、これ以上下げることができないとき、使用者は、積極的に「停止」されたことおよび所望の薬剤を吸入のために利用できることがわかる。
【００２２】
次に図５Ａ及び図５Ｂを参照すると、機構５は枢動自在のストップ２３を含む。このストップ２３は全体にＬ形状であり、デバイス４の移動を妨げる位置に向かってストップを押圧するばね２５の圧力の作用で枢動するように軸２４上に取り付けられている。
枢軸２４は、リザーバ又はホッパ２の上下のフランジ２７、２８の向き合った部材に設けられた穴２６に取り付けられている。
衝合部材２３の一方のリムから突出部２９が延びており、この突出部２９は、使用者が本体７の壁に設けられたオリフィス３０を通して手作業でアクセスできる。使用者は、突出部２９を矢印３１が示す方向に回したとき、放出位置まで滑らかにしかし積極的に移動するためにデバイス４を解放する。突出部２９は、オリフィス３０の盲壁と出会ったとき、所望の投与量の薬剤を吸入のために利用できることを使用者に効果的に知らせる。
【００２３】
図６は、摺動自在のリング形状の部材３２を提供する更に別の実施例を示す。この部材３２は、ばね３３の圧力の作用でリング３２の突出部３４が装置４の移動と干渉する位置に押し付けられるように取り付けられる。リング部材３２は、更に、装置１の本体の壁７の開口部即ちオリフィス３６を通って突出している。
リング３２には、文字又は色彩（例えば赤と緑）のいずれかのしるし３７が付けてある。これは、デバイス４が計量分配の準備ができていない（赤）、又は計量分配及びかくして吸入の準備ができている（緑）ことを示す。
使用者は、ボタン３５に指で圧力を加えて図６に矢印Ｘで示すように左方から右方に押したときにこのしるしを読み取ることができ、これによってデバイス４を解放し及びかくして薬剤をいつでも吸入できる状態にする。
【００２４】
次に図７を参照すると、ばね３９の圧力の作用で装置１の壁７に取り付けられたボタン即ちプランジャー３８が、デバイス４の衝合体と接触しないように押圧されているが、プランジャーのヘッド４０を内方に作動したとき、プランジャーの円筒形本体４２と比較して拡大された反対側の端部４１がデバイス４と接触し、このデバイス全体を滑らかに図で見て左方にシフトし、吸入時に空気チャンネルに対して放出する準備をする実施例が示されている。
ボタン３８を放すとプランジャーが引っ込み、そのためデバイス４自体が更なる装填のために戻ることができ、デバイスは、全ての実施例におけるように、デバイスを装填位置に向かって押圧するばねの圧力の作用で取り付けられている。プランジャー３８の拡大した反対側の端部４１には、プランジャーのデバイス４との弱められた接触のためのクッション（図示せず）が含まれている。
【００２５】
図８は、電気式アクチュエータ、電子式アクチュエータ、又は電気機械式アクチュエータ等のアクチュエータ４３が設けられた更に別の実施例を示す。アクチュエータは、ピストンロッド４４等の伸長可能な作動部材を有する。ピストンロッドは、上述のように放出を行うため、アクチュエータ４３の作動時に延びて機構の衝合体４５を押してデバイス４の経路から外す。アクチュエータ４３は、この実施例では、スイッチ４６、及び電池等の電源４７を含む。スイッチ４６は、使用者が呼吸するときに手動で作動してもよいし自動で作動してもよい。
【００２６】
次に、図９を参照すると、この図には、マウスピース３’が通常はフラップ又はディスク４８によって覆われた実施例が示してある。フラップ又はディスク４８は、二つのアーム４９に取り付けられている。これらのアームの、フラップ又はディスク４８とは反対側の端部には、カム装置５０が設けられている。このカム装置は、カム従動体５１がカム５０の形状を辿ることができるようにすることによって作動機構を作動させ、これによってデバイスのカップを装填でき、次いで図３で参照番号５を付したが図９には示してない機構等の機構により、デバイス４を滑らかに移動させ、薬剤の吸入投与量を上文中に説明したように放出する。
フラップ又はカバー４８の外側には、作動を行うため、及び吸入のためにマウスピース３’を露呈するため、フラップを枢動させなければならない方向を使用者に示すための矢印等のしるし５２が設けられている。マウスピースの閉鎖位置のカバーは、それ自体が枢動自在の外カバー６によって閉鎖されている。
【００２７】
次に図１０及び図１１を参照すると、これらの図には、デバイス４の部品１６が最初に部品１６がヨーク１２のラチェット部分に当たる（ａ）に示す休止位置にある機構が、概略に示してある。ヨーク１２のラチェット部分は、下方カム５３を有し、弾性であり、且つ図で見る方向に対して直角な方向に凸状であるように賦形されている。カップ１５に所望の投与量の薬剤を装填するためにヨーク１２が作動され且つ下方に引っ張られたとき、部品１６が（ｂ）に示すようにラチェットに乗り上げ、次いで、移送を行うために、ラチェットの弾性及び輪郭により、（ｃ）に示すように穏やかに且つ滑らかに上方にランプ５４に沿って移動する。ラチェットが矢印‘Ｙ’で示すように上方に戻るとき、デバイス４の部品１６が下方に傾斜したエレメント５５（（ｂ）で見て左方から右方に）と係合し、ラチェットの上方への移動を吸収するため、デバイス４の部品１６が傾斜又はリターンエレメント５５を下方に動かし、これによってデバイス４を装填位置に戻す。
【００２８】
図１５は、本発明の具体化した装置の製造モデルを概略に示す。図１５には、図１５に１１０として示す、デバイス４の図１０の部品１６は、最初は、ヨーク１２のカム部分に当たった休止位置即ち「位置１」にある機構が概略に示してある。ヨーク１２のカム部分は、下方カム５３を有し、弾性であり、且つ図で見る方向に対して直角な方向に凸状であるように賦形されている。カップ１５に所望の投与量の薬剤を装入するためにヨーク１２を作動して下方に引っ張ったとき、部品１１０がカムのランプ１０６に乗り上げ（「位置２」で示す）、次いで移送を行うために、ランプ１１２に沿って穏やかに且つ滑らかに上方に「位置３」の吸入位置まで移動する。ヨーク１２が矢印Ｙで示すように上方に戻るとき、デバイス４の部品１１０が、「位置４」に示すカムのランプ１１２に沿って戻り、これによってデバイス４を装填位置に戻す。
【００２９】
この作用を図１１に例示する。ここでは、マウスピースと隣接したヨーク１２の下端が、マウスピース６又はカバー５２（図９参照）によって回転できるカムの単一のカム従動体５６に従う。
【００３０】
図１２は、呼吸作動式乾燥粉体吸入装置５７を示しており、力取り扱いユニット５８が装置５７の下本体部分５９の頂部に設けられている。デバイス４は、イージ−ブレス（イージ−ブレス（Ｅａｓｉ−Ｂｒｅａｔｈｅ）は登録商標である）の商標で販売されている吸入装置等の従来の呼吸作動式の例から知られているように、患者が息を吸い込むときにだけ作動できる。この実施例では、患者が吸入したとき、図１３に示す機構６０が作動し、薬剤の必要な投与量の供給を行う。この実施例では、リザーバ２の上フランジ６１と下フランジ６２との間には二重カム又はギヤ装置が設けられている。これらのうちの第１の即ち上側の装置６３は図から明らかなように延長部６４を有し、この延長部が装置４と係合し、これを装填位置に保持する。細長い作動部材６５が設けられており、この細長い作動部材６５は、カム又はギヤ６７を回転させることによってカム又はギヤ６３を回転させてデバイス４と接触した状態から外し、これによってデバイス４が吸入のために移動できるように作動する。
【００３１】
細長い部材６５は、ばね６６の圧力が加わった状態で取り付けられる。バルブ−シール装置６８は、患者の呼吸がマウスピースに作用してそのフラップバルブ６９を持ち上げたときに作動でき、これによって、リザーバの上下のフランジ６１、６２の間及びこれらのフランジを離間する壁７１間に画成された空間７０に大気圧を入れることができる。その結果、細長い部材をばねの圧力が及ぼされた状態で取り付けるばね６６が、これによって引っ込められ、これによって壁の両側の空気圧が等しくされる。
【００３２】
次に図１４を参照すると、この図は、リザーバ２の装入開口部４’の下方に、カップ１５が装填開口部と整合するように取り付けられたデバイス４を概略に示している。デバイス４は、ばねの圧力の作用で図示の位置に戻るように取り付けられており、また、ダッシュポット等のダンパー装置７２が設けられている。ダンパー装置７２は、デバイス全体を長さ方向に左方へ矢印Ｒが示すように移動させるように機構を作動したときに活性化され、所望の所定の投与量の粉体状薬剤を吸入するために装填開口部から空気チャンネルまで滑らかに制御下で通過させる
【００３３】
添付図面を参照してここに説明した全ての実施例には、放出デバイスのカップを圧縮なしで充填するため、及びデバイスを滑らかに且つ制御された態様で空気チャンネルまで移送し、これによって圧縮及び漏れを阻止し、その結果、繰り返し作動時に所望の計量された投与量が患者が装置を使用する度毎に供給されるようにするための、乾燥粉体吸入装置が記載されている。
【００３４】
本明細書中に説明した本発明の実施例の制御された滑らかな動きは、患者が吸入時に装置を使用したときに分配された個々の投与量に影響を及ぼさないということは理解されよう。装置は、患者が使用する前に多数回作動することによって多数回分の投与量がうっかり分配されることがないようにしようとするものである。この好ましい実施例（図１５参照）では、制御された滑らかな移動により、従来技術のスライドキャリヤを吸入位置まで移送する方法を変える。ヨーク下側を下げるときにスライドキャリヤをいきなり解放する代わりに、第２ゾーン用のトリガー構成要素が、従来の機構の第２ゾーンの押縁の代わりに傾斜した部分を有する。第１ゾーンは従来の設計と同じであり、いきなりの降下によりベローズから計量パルスを発生する。
【００３５】
ヨーク下側が第２ゾーンに達したとき、動きはマウスピースカバーの開放によって制御される。更に、ヨーク下縁を傾斜に代えてある。これは、スライドキャリヤの位置を制御する。移送中のスライドキャリヤ位置は、この場合、マウスピースカバーとリンクしている。ホッパ上部分に当たっていきなり停止する代わりに、スライドキャリヤは吸入位置まで徐々に移動でき、停止が更に制御されており、非常に滑らかである。
【００３６】
滑らかに移行するため、粉体に衝撃が加わることがなく、漏れは、あったとしても非常に少量である。一回の作動により、従来の機構と同じ薬剤的性能が得られ、相違点は多数回の作動について明らかである。
【図面の簡単な説明】
【００３７】
【図１】代表的な乾燥粉体吸入装置の斜視図である。
【図２】図１に示すのと同様の代表的な乾燥粉体吸入装置の分解斜視図である。
【図３】所望投与量の薬剤を計量分配するための本発明による装置の実施例の拡大斜視図である。
【図４】所望投与量の薬剤を計量分配するための本発明による装置の第２実施例の拡大斜視図である。
【図５】Ａ及びＢは、本発明による第３実施例の装置の二つの作動位置の夫々を示す図である。
【図６】本発明による第４実施例の装置の平面図である。
【図７】本発明による第５実施例の装置の概略図である。
【図８】本発明による別の実施例の装置の概略斜視図である。
【図９】本発明による別の実施例の吸入装置の概略図である。
【図１０】本発明を具体化する更に別の装置の様々な位置を（ａ）−（ｄ）に示す図である。
【図１１】図１０の実施例の作動機構の部分を示す図である。
【図１２】呼吸作動式乾燥粉体吸入装置の概略図である。
【図１３】本発明による実施例の図１２の装置の部分を示す図である。
【図１４】上文中に説明した実施例の装置のデバイスを取り付ける方法を示す図である。
【図１５】図１０に示すのと同様であるが、この実施例では装置のカムが中実である、製造モデル装置の概略図である。
【図１】
2007521844.tif 000003
【図２】
2007521844.tif 000004
【図３】
2007521844.tif 000005
【図４】
2007521844.tif 000006
【図５Ａ】
2007521844.tif 000007
【図５Ｂ】
2007521844.tif 000008
【図６】
2007521844.tif 000009
【図７】
2007521844.tif 000010
【図８】
2007521844.tif 000011
【図９】
2007521844.tif 000012
【図１０Ａ】
2007521844.tif 000013
【図１０Ｂ】
2007521844.tif 000014
【図１０Ｃ】
2007521844.tif 000015
【図１０Ｄ】
2007521844.tif 000016
【図１１】
2007521844.tif 000017
【図１２】
2007521844.tif 000018
【図１３】
2007521844.tif 000019
【図１４】
2007521844.tif 000020
【図１５】
2007521844.tif 000021